(57)【要約】【課題】駅、ショッピングモール、店舗、施設等に設置された額に貼ってあるポスター等の掲示媒体に対しても、場所等の制約を受けることなく有効に活用することが可能な情報読取装置を提供する。【解決手段】本発明は、掲示媒体に掲示された掲示内容に関する関連情報を情報端末装置に対して提供する情報提供装置と通信可能な情報読取装置であって、前記掲示媒体用の額に着脱自在に固定可能な固定部と、前記情報端末装置に固有の識別情報を記憶した記憶媒体から当該識別情報を読み取るリーダ部と、前記リーダ部の位置を認知させるための発光体と、前記リーダ部により読み取られた前記識別情報を前記情報提供装置に送信する送信部と、を備える。【選択図】図１
2007272299.tif 000002
【特許請求の範囲】
【請求項１】
掲示媒体に掲示された掲示内容に関する関連情報を情報端末装置に対して提供する情報提供装置と通信可能な情報読取装置であって、
前記掲示媒体用の額に着脱自在に固定可能な固定部と、
前記情報端末装置に固有の識別情報を記憶した記憶媒体から当該識別情報を読み取るリーダ部と、
前記リーダ部の位置を認知させるための発光体と、
前記リーダ部により読み取られた前記識別情報を前記情報提供装置に送信する送信部と、
を備えることを特徴とする情報読取装置。
【請求項２】
掲示媒体に掲示された掲示内容に関する関連情報を記憶するメモリと、
前記掲示媒体用の額に着脱自在に固定可能な固定部と、
固有の識別情報を記憶した情報端末装置から当該識別情報を読み取るリーダ部と、
前記リーダ部の位置を認知させるための発光体と、
前記リーダ部により前記識別情報が読み取られた場合に、前記メモリに記憶された関連情報を前記情報端末装置に無線送信する送信部と、
を備えることを特徴とする情報読取装置。
【請求項３】
請求項１又は２に記載の情報読取装置において、
前記固定部は、前記伸縮自在であって、前記額の両端を挟み込む構造を有することを特徴とする情報読取装置。
【請求項４】
請求項１乃至３のいずれか一項に記載の情報読取装置において、
前記固定部は、水平面に対して任意の角度で固定可能であり、
前記リーダ部は、前記固定部の前記角度が変わっても、水平面に対して一定の角度を保つように取り付けられていることを特徴とする情報読取装置。
【請求項５】
請求項１乃至４のいずれか一項に記載の情報読取装置において、
前記リーダ部、前記発光体、及び前記送信部は、透光性を有する材料からなる筐体内に収納されており、
前記発光体は、前記筐体を介して前記リーダ部の位置を認知させることが可能であることを特徴とする情報読取装置。
【請求項６】
請求項１乃至５のいずれか一項に記載の情報読取装置において、
前記識別情報が前記リーダ部により読み取られた場合に、所定の音声を出力する音声出力部を備えることを特徴とする情報読取装置。
【発明の詳細な説明】
【技術分野】
【０００１】
本発明は、携帯電話機等の情報端末装置に対して、ポスター等の掲示媒体に掲示された掲示内容に関する関連情報を提供する技術に関し、特に、当該情報端末装置に固有の識別情報を記憶した記憶媒体から当該識別情報を読み取るリーダを備える情報読取装置に関する。
【背景技術】
【０００２】
近年、携帯電話機の普及に伴い、商品やサービスの情報を電子メールにて配信するといった情報配信システムが普及している。特に最近では、商品やサービスの情報の中でも利用者が特に興味を持った情報を選別して配信する種々の工夫がなされている。
【０００３】
例えば、特許文献１には、この種の情報配信システムとして、情報管理者は、予め利用者にＩＣ（Integrated Circuit）タグを配布しておき、商品やサービスのポスター等の広告媒体の背後にＩＣタグに記録されたＩＤ（IDentifier）を読み取るＩＣタグリーダを備えた情報提供装置を屋外や店舗内等に設置するという構成が開示されている。このような構成によれば、利用者は興味を持った商品やサービスのポスター等に自己が所有するＩＣタグを翳すことにより、背後に設置されたＩＣタグリーダによってＩＣタグのＩＤが読み取られ、ポスター等に告知された広告の詳細な内容が管理者の管理装置から利用者の携帯電話機にメールを通じて配信されることになる。
【特許文献１】特開２００３−３０８２６７号公報
【発明の開示】
【発明が解決しようとする課題】
【０００４】
上述したようなＩＣタグリーダを搭載してポスター等の詳細な情報を携帯電話機に伝える情報提供装置、言わば電波ポスターユニットの普及が見込まれているが、この場合ユニット内部に固定されたＩＣタグリーダが、ユニットの何処に固定設置されているか、ＩＣタグリーダの設置位置を利用者が認知できるように構成しなければならない。
【０００５】
一方、ＩＣタグリーダとポスターとが一体形成されるようなユニットでは、これを設置する場所が制約される。また、駅、ショッピングモール、店舗、施設等に設置された額に貼ってあるポスターに対して、このようなユニットを有効に活用することは困難である。
【０００６】
そこで本発明は、このような問題等に鑑みてなされたものであり、駅、ショッピングモール、店舗、施設等に設置された額に貼ってあるポスター等の掲示媒体に対しても、場所等の制約を受けることなく有効に活用することが可能な情報読取装置を提供することを課題とする。
【課題を解決するための手段】
【０００７】
上記課題を解決するために、請求項１に記載の発明は、掲示媒体に掲示された掲示内容に関する関連情報を情報端末装置に対して提供する情報提供装置と通信可能な情報読取装置であって、前記掲示媒体用の額に着脱自在に固定可能な固定部と、前記情報端末装置に固有の識別情報を記憶した記憶媒体から当該識別情報を読み取るリーダ部と、前記リーダ部の位置を認知させるための発光体と、前記リーダ部により読み取られた前記識別情報を前記情報提供装置に送信する送信部と、を備えることを特徴とする。
【０００８】
請求項２に記載の発明は、掲示媒体に掲示された掲示内容に関する関連情報を記憶するメモリと、前記掲示媒体用の額に着脱自在に固定可能な固定部と、固有の識別情報を記憶した情報端末装置から当該識別情報を読み取るリーダ部と、前記リーダ部の位置を認知させるための発光体と、前記リーダ部により前記識別情報が読み取られた場合に、前記メモリに記憶された関連情報を前記情報端末装置に無線送信する送信部と、を備えることを特徴とする。
【０００９】
請求項３に記載の発明は、請求項１又は２に記載の情報読取装置において、前記固定部は、前記伸縮自在であって、前記額の両端を挟み込む構造を有することを特徴とする。
【００１０】
請求項４に記載の発明は、請求項１乃至３のいずれか一項に記載の情報読取装置において、前記固定部は、水平面に対して任意の角度で固定可能であり、前記リーダ部は、前記固定部の前記角度が変わっても、水平面に対して一定の角度を保つように取り付けられていることを特徴とする。
【００１１】
請求項５に記載の発明は、請求項１乃至４のいずれか一項に記載の情報読取装置において、前記リーダ部、前記発光体、及び前記送信部は、透光性を有する材料からなる筐体内に収納されており、前記発光体は、前記筐体を介して前記リーダ部の位置を認知させることが可能であることを特徴とする。
【００１２】
請求項６に記載の発明は、請求項１乃至５のいずれか一項に記載の情報読取装置において、前記識別情報が前記リーダ部により読み取られた場合に、所定の音声を出力する音声出力部を備えることを特徴とする。
【発明の効果】
【００１３】
本発明によれば、駅、ショッピングモール、店舗、施設等に設置された額に貼ってあるポスター等の掲示媒体に対しても、場所等の制約を受けることなく情報読取装置を有効に活用することができる。
【発明を実施するための最良の形態】
【００１４】
以下、本発明を実施するための最良の実施形態について、図面に基づいて説明する。
【００１５】
先ず、図１を参照して、本発明の一実施形態に係る情報読取装置の設置位置等について説明する。
【００１６】
図１（Ａ）は、ポスター用の額の正面図を示し、図１（Ｂ）は、当該ポスター用の額の側面図を示す。このような額Ｇは、例えば、駅、ショッピングモール、店舗、施設等の壁面等に固定設置されており、例えば当該額Ｇの前面にポスターＰが貼り付けられることになる。
【００１７】
なお、当該額Ｇに貼り付けられたポスターＰ上は、例えば透明なガラス等で覆われる。
【００１８】
そして、情報読取装置Ｓは、図１（Ａ），（Ｂ）に示すように、当該額Ｇの両端を、後述する固定部としてのストッパー１及び支持棒２ａ，２ｂにより挟み込むようにして当該額Ｇに取り付け固定されるようになっている。このように、固定部としてのストッパー１及び支持棒２ａ，２ｂにより挟み込むことが可能な長さ（奥行き方向の長さ）の端部を有する額であれば如何なる額も適用可能である。
【００１９】
また、図１（Ａ），（Ｂ）では、情報読取装置Ｓの取り付け状態として、状態ａ（額前面部取り付け）及び状態ｂ（額下部取り付け）の２つを示しており、固定部としてのストッパー１等は水平面に対して任意の角度で固定可能になっている。
【００２０】
なお、図１（Ａ）及び（Ｂ）に示す、記憶媒体としてのＩＣタグＴ（例えば、ＲＦＩＤ（Radio Frequency Identification）等の技術に基づく）は、図示しない情報端末装置としての携帯電話機に固有の識別情報を記憶する図示しないＩＣ部及び無線電波を送受信するアンテナ部を具備し、ユーザが当該ＩＣタグＴを情報読取装置Ｓに翳すことにより、上記識別情報が情報読取装置Ｓにより読み取られるようになっている。
【００２１】
次に、図２及び図３を参照して、情報読取装置Ｓの構成及び機能について説明する。
【００２２】
図２（Ａ）は、情報読取装置Ｓの筐体Ｋ部分の正面図（一部切り開き）を示し、図２（Ｂ）は、情報読取装置Ｓの筐体Ｋ部分の側面を切り開いた図を示す。また、図３は、情報読取装置Ｓのストッパー１及び支持棒２ａ，２ｂ部分の拡大図を示す。
【００２３】
情報読取装置Ｓは、樹脂等の透光性のある材料からなる筐体Ｋと、ポスター用の額に着脱自在に固定可能な固定部としてのストッパー１及び支持棒２ａ，２ｂと、ＩＣタグＴから識別情報を読み取るリーダ部４と、額Ｇの前面側からリーダ部４の位置を認知させるための発光体としてのＬＥＤ（発光ダイオード）５と、リーダ部４により読み取られた識別情報を情報提供装置に送信する図示しない送信部と、識別情報がリーダ部４により読み取られた場合に所定の音声を出力する図示しないスピーカ等からなる音声出力部と、所定のプログラムを実行する図示しないＣＰＵ（Central Processing Unit），ＲＡＭ（Random Access Memory），ＲＯＭ（Read Only Memory）、及びその周辺回路を有するコントローラと、ＬＥＤ５、送信部、音声出力部、及びコントローラ等に対して電源供給する電源部（例えば、電池を有する）と、を備えて構成されている。なお、ストッパー１及び支持棒２ａ，２ｂを除く、リーダ部４、ＬＥＤ５、送信部、音声出力部、及びコントローラ等は筐体Ｋ内に収納されている。
【００２４】
また、図３に示すように、筐体Ｋの側面（図示では、一側面側を示しているが、実際には両側面）には、支持棒２ｂが接合、固定されており、支持棒２ｂの内側には、支持棒２ａが伸縮自在に設けられている。また、支持棒２ａは、バネ２１の収縮力により筐体Ｋ方向に縮むようになっており、当該支持棒２ａには、ストッパー１が、接合、固定されている。このような構造により、筐体Ｋの両側面のストッパー１は、ストッパーゴム１ａを介して、額Ｇの両端を挟み込むようにして当該額Ｇに取り付け着脱自在に固定されるようになっている。また、ストッパー１には、固定用ネジ挿入用溝（ねじ切り）１ｂが設けられ、支持棒２ｂには、固定用ネジ挿入用溝２２が設けられており、かかる、固定用ネジ挿入用溝１ｂ及び２２に図示しないネジを挿入、締めることで、情報読取装置Ｓは、額Ｇに対して取り外し困難なように強固に固定される。これにより、情報読取装置Ｓの盗難を防止することができる。
【００２５】
次に、図２（Ａ）に示すように、リーダ部４及びＬＥＤ（発光ダイオード）５は、筐体Ｋ内のかざし部電子基板６上に搭載（固定設置）されている。また、ＬＥＤ５は、リーダ部４を中心として取り囲んで（例えば、円形状、若しくは矩形状に）複数具備されている。もちろん、これに限られるものでなく、例えば星型を形成するように具備するなど、ＬＥＤ５は種々のデザイン構成で配置させることができる。
【００２６】
また、リーダ部４は、図示しないリーダコントローラ及び無線電波を送受信するアンテナ（例えばコイルにより形成される）を備えており、ＩＣタグＴが所定距離内（アンテナ）に近づくと、無線電波によりＩＣタグＴとの間で通信を行い、上記識別情報を読み取るようになっている。
【００２７】
更に、筐体Ｋ内には、軸１０、軸支柱１１、ウエイト（重り）１２、及びベアリング１３が設けられている。軸支柱１１は、筐体Ｋ内壁に接合、固定されており、軸１０は、軸支柱１１により固定支持されている。また、軸１０には、ベアリング１３が、軸１０の中心軸を中心として回転可能に取り付けられている。そして、ベアリング１３には、かざし部電子基板６が支持棒６ａを介して固定的に取り付けられていると共に、ウエイト（重り）１２が支持棒１２ａを介して固定的に取り付けられている。これにより、ウエイト（重り）１２は、筐体Ｋがどのような角度であっても（つまり、図１に示すように、ストッパー１が、状態ａ，ｂ等のようにその取り付け角度が変わっても）、軸受（軸支柱１１における軸１０を支える部分）を中心に常に鉛直下の位置にくることになり、かざし部電子基板６は、水平面に対して一定の角度を保つようになる。図２（Ｂ）の例では、かざし部電子基板６のＬＥＤ５が設けられた表面は、水平面に対してほぼ４５度上方を常に向くようになっている。これにより、ＩＣタグＴを携帯するユーザは、かざし部電子基板６上におけるＬＥＤ５が発する光を視認しやすくなり、したがって、リーダ部４の位置を認知しやすくなる。加えて、ユーザは、リーダ部４に対してＩＣタグＴを翳しやすくなる。
【００２８】
そして、ユーザが、情報読取装置Ｓにおけるリーダ部４に対してＩＣタグＴを翳すと、リーダ部４は、筐体Ｋを介して当該ＩＣタグＴから識別情報を読み取り、当該識別情報は、コネクタケーブル７を介してコントローラに送られる。
【００２９】
そして、リーダ部４によって識別情報が読み取られた場合に、コントローラは、所定の音声を、スピーカ等を有する音声出力部から出力させる。
【００３０】
こうして、読み取られた識別情報は、コントローラの制御の下、送信部及び通信網を介して情報提供装置（情報提供サーバ）に送信される。そして、ポスターＰに掲示された掲示内容に関する関連情報は、上記情報提供装置により、上記識別情報に対応付けて情報提供装置に登録済みのユーザの携帯電話機のメールアドレス宛てに送信される。携帯電話機が情報提供装置から送信されてきた関連情報を受信すると、携帯電話機の表示部に当該関連情報が表示され、ユーザがポスターＰの広告内容（例えば、クーポン券を含む）や案内内容等の掲示内容に関する関連情報を確認することができる。
【００３１】
なお、情報読取装置Ｓに備えた送信部は、有線であっても無線であってもよいが、ネットワーク接続ケーブルを必要とせず、無線によって通信網を介して情報提供装置と接続可能であることがより好ましい。これによれば、場所等の制約を殆ど受けることなく、所望の位置に取り付けることができるからである。
【００３２】
また、上述した「掲示内容に関する関連情報」とは、例えば、掲示している掲示媒体がポスター等の広告媒体である場合には、当該広告にかかる商品の販売期間、販売会社、製造業者、内容量、成分、効能、価格、クーポン券（割引券等）等が該当し、掲示している掲示媒体が案内掲示やお知らせ等の情報掲示媒体である場合には、情報源や、掲示期間、案内にかかる地図や連絡先等が該当する。
【００３３】
以上説明したように、上記実施形態によれば、駅、ショッピングモール、店舗、施設等に設置されたポスターＰ等が貼ってある掲示媒体用の額Ｇに対して情報読取装置Ｓを取り外し可能に固定できるので、場所等の制約を受けることなく情報読取装置を有効に活用することができる。しかも、かざし部電子基板６のＬＥＤ５等が設けられた表面は、水平面に対してユーザが方向を常に向くようになっているので、ユーザは、リーダ部４の位置を認知しやすく、リーダ部４に対してＩＣタグＴを翳しやすいという効果を有する。
【００３４】
なお、上述した識別情報は、各ＩＣタグＴを一意に識別することができるものであればよく、例えば、工場出荷時に予め割り振られる製造番号等を固有の識別情報として利用することも可能である。このように、ＩＣタグＴは、無電池のため応用事例にあわせた柔軟な加工や小型化・薄型化が可能であり、シール状に加工したＩＣタグＴを携帯電話機などの携帯物の表面や内面に貼り付けたり、ストラップなどの形状に加工したＩＣタグＴを携帯電話機などの携帯物に付属させることも可能である。
【００３５】
また、上記実施形態において、情報端末装置として携帯電話機を例にとって説明したが、これに限定されるものではなく、例えば、ＰＤＡ、ＰＨＳ、携帯型ＰＣ等であっても構わない。
【００３６】
また、上記実施形態においては、上記関連情報が、情報提供装置から携帯電話機に送信されるように構成したが、別の例として、上記関連情報が、情報読取装置ＳからＩＣタグＴを介して携帯電話機に提供されるように構成しても良い。
【００３７】
この場合、情報読取装置Ｓは、上述した構成要素に加えて、ポスターＰに掲示された掲示内容に関する関連情報を記憶するメモリ（例えば、不揮発性メモリ）を備える構成となる。また、ＩＣタグＴと携帯電話機とは、電気的に接続（ＩＣタグＴを携帯電話機内に搭載しても良い）される。
【００３８】
そして、リーダ部４により上記識別情報が読み取られた場合に、コントローラは、上記メモリに記憶された関連情報をＩＣタグＴを介して携帯電話機に無線送信（例えば、ＩＣタグＴとリーダ部４との無線電波による送信）するように制御する。
【００３９】
このように構成すれば、上記実施形態における効果に加えて、情報提供装置を介することなくユーザに対して上記関連情報を迅速に提供することができる。
【図面の簡単な説明】
【００４０】
【図１】（Ａ）は、ポスター用の額の正面図を示し、（Ｂ）は、当該ポスター用の額の側面図を示す図である。
【図２】（Ａ）は、情報読取装置Ｓの筐体Ｋ部分の正面図（一部切り開き）を示し、（Ｂ）は、情報読取装置Ｓの筐体Ｋ部分の側面を切り開いた図を示す図である。
【図３】情報読取装置Ｓのストッパー１及び支持棒２ａ，２ｂ部分の拡大図を示す図である。
【符号の説明】
【００４１】
１  ストッパー
２ａ，２ｂ  支持棒
４  リーダ部
５  ＬＥＤ
６  かざし部電子基板
１０  軸
１１  軸支柱
１２  ウエイト
１３  ベアリング
Ｋ  筐体
Ｓ  情報読取装置
Ｇ  額
Ｐ  ポスター
【図１】
2007272299.tif 000003
【図２】
2007272299.tif 000004
【図３】
2007272299.tif 000005